(57)【要約】【課題】この発明は、簡易な構成で、標本の多様化と共に、観察方法の多様化を確保したうえで、観察画像の撮影情報の確実な視認を実現し得るようにすることのある。【解決手段】顕微鏡で取り込んだ観察像をカメラヘッド８０で撮像した観察画像と共に、その撮影情報を制御部８１の表示部８１９に表示して、その観察画像の撮像情報の表示状態を選択的に可変設定可能に構成し、所期の目的を達成した。【選択図】　　図２
2004054045.tif 000002
【特許請求の範囲】
【請求項１】
顕微鏡で取り込んだ観察像を撮像する電子カメラと、
この電子カメラで撮像した観察画像と共に、その撮影情報を表示する表示手段と、
この表示手段を制御して前記撮像情報の表示状態を可変設定する表示設定手段と
を具備することを特徴とする顕微鏡撮像装置。
【請求項２】
前記観察画像の撮影情報は、測光、フォーカス、色バランス、スケールの少なくとも一つであることを特徴とする請求項１記載の顕微鏡撮像装置。
【請求項３】
前記撮像情報の表示形態は、線の色、線幅、線種のいずれかで表示することを特徴とする請求項１又は２記載の顕微鏡撮像装置。
【請求項４】
顕微鏡で取り込んだ観察像を撮像する電子カメラと、
この電子カメラで撮像した観察画像と共に、その複数の撮影情報を持つ情報を表示する表示手段と
を具備することを特徴とする顕微鏡撮像装置。
【請求項５】
前記観察画像の複数の撮影情報を持つ情報は、測光、フォーカス、色バランス、スケールの少なくとも１つであることを特徴とする請求項４記載の顕微鏡撮像装置。
【請求項６】
前記撮像情報の表示形態は、線の色、線幅、線種のいずれかで表示することを特徴とする請求項４又は５記載の顕微鏡撮像装置。
【発明の詳細な説明】
【０００１】
【発明の属する技術分野】
この発明は、顕微鏡システムに係り、特にその顕微鏡で取り込んだ観察像を撮像するのに用いられる顕微鏡撮像装置に関する。
【０００２】
【従来の技術】
画像上の撮像情報を表示する手段としては、特開平１０―３１９４８８号公報（第１の方法）、特開平２００１―１２８１１２号公報（第２の方法）及び特開平１１―２７１６３８号公報（第３の方法）が知られている。
【０００３】
第１の手段には、液晶モニタ付きカメラにおいて、その液晶モニタに対して画像と文字情報を表示するに際して、画像の明るさに応じて文字表示部位の背景色及び文字色を変更して、画像及び文字情報を見易くするようにした構成が開示される。
【０００４】
第２の手段には、プリンタ付きカメラにおいて、プリンタに印刷される領域をモニタ上に表示されるようにして、撮影時にプリントイメージを撮影者に与えるようにした構成が開示される。
【０００５】
第３の手段には、顕微鏡で取り込んだ観察像にポインタを投影する際に、ポインタの周辺画像の色及び明るさを検出して、その検出情報に基づいてポインタの色及び明るさを設定するようにした構成が開示される。
【０００６】
しかしながら、上記画像上に撮影情報を表示する方法の場合、第１の手段では、その表示構造上、画像部分と文字部分が分離していことが前提であり、背景画像の明るさに応じて文字部分の背景を白もしくは黒にするものであるため、測光エリア表示や、フォーカスユリアなど画像中に表示することができず、観察画像の画像情報を与えることが困難である。
【０００７】
また、第２の手段では、その印刷領域を液晶モニタに枠表示するものであるために、あくまでも、撮影者に撮影画像のプリントイメージを与えるだけのもので、観察画像の画像情報を与えることが困難である。
【０００８】
また、第３の手段では、顕微鏡の光路中にポインタ像を表示するため、光学系を配するものであり、観察画像の画像情報自体を表示するものでなく、その観察画像の解析に寄与するものと異なる。
【０００９】
ところで、顕微鏡システムにあっては、その観察する標本の色が多岐にわたり、しかも、その観察方法も多岐にわたるために、例えば電子カメラで観察像を撮像した場合、その観察画像の色及び輝度がそれぞれで異なる上、標本が無い部分の色及び輝度も大きく変動するという特徴を有する。
【００１０】
このため、上記第１乃至第３の手段では、顕微鏡システムに適用した場合、その電子カメラで撮像した観察画像を確認すると、例えば測光領域や、フォーカス領域などを固定の色で表示していると、標本の種類や観察方法によっては、観察画像が背景画像に埋もれてしまい、必要な情報がまったく分からなくなるという不都合が発生する。
【００１１】
【発明が解決しようとする課題】
以上述べたように、上記第１乃至第３の手段では、顕微鏡で取得した観察像を電子カメラで撮像した観察画像の確認に適用すると、標本の種類や観察方法によっては、観察画像が背景画像に埋もれてしまい、必要な情報がまったく分からなくなるという不都合を有する。
【００１２】
この発明は上記の事情に鑑みてなされたもので、簡易な構成で、且つ、標本の多様化と共に、観察方法の多様化を確保したうえで、観察画像の撮影情報の確実な視認を実現し得るようにした顕微鏡撮像装置を提供することを目的とする。
【００１３】
【課題を解決するための手段】
この発明は、顕微鏡で取り込んだ観察像を撮像する電子カメラと、この電子カメラで撮像した観察画像と共に、その撮影情報を表示する表示手段と、この表示手段を制御して前記撮像情報の表示状態を可変設定する表示設定手段とを備えて顕微鏡撮像装置を構成した。
【００１４】
上記構成によれば、表示手段で表示される撮影情報は、例えば標本の種類や観察方法に応じて、その表示状態が可変設定されることにより、観察画像の背景画像に埋もれたりすることなく、視認性よく表示することができる。従って、観察画像の高精度な観察に寄与することができる。
【００１５】
また、この発明は、前記観察画像の撮影情報として、測光、フォーカス、色バランス、スケールの少なくとも一つを表示するように構成した。これによれば、撮影情報に基づいた観察画像の確認が可能となる。
【００１６】
また、この発明は、前記撮像情報の表示形態として、線の色、線幅、線種のいずれかで表示するように構成した。これによれば、簡便にして容易に撮影情報の視認が可能となる。
【００１７】
また、この発明は、顕微鏡で取り込んだ観察像を撮像する電子カメラと、この電子カメラで撮像した観察画像と共に、その複数の撮影情報を持つ情報を表示する表示手段とを備えて顕微鏡撮像装置を構成した。
【００１８】
上記構成によれば、表示手段には、複数種の撮影情報が表示されることにより、複数の撮影情報に基づいた観察画像の観察が可能となる。従って、観察画像の高精度な観察に寄与することができる。
【００１９】
また、この発明は、前記観察画像の複数の撮影情報を、測光、フォーカス、色バランス、スケールの少なくとも二つで構成した。これによれば、撮影情報に基づいて観察画像の複数の観察が可能となる。
【００２０】
また、この発明は、前記撮像情報の表示形態として、線の色、線幅、線種のいずれかで表示するように構成した。これによれば、簡便にして容易に撮影情報の視認が可能となる。
【００２１】
【発明の実施の形態】
以下、この発明の実施の形態について、図面を参照して詳細に説明する。
【００２２】
先ず、この発明の第１乃至第４の実施の形態に係る顕微鏡撮像装置を説明するに先立ち、この発明の適用される顕微鏡システムについて簡単に説明する。即ち、顕微鏡本体１には、ステージ２上の標本３に対向する対物レンズ４が配置されている。そして、この対物レンズ４を介した観察光軸上には、三眼鏡筒ユニット５を介して接眼レンズユニット６が配置されていると共に，結像レンズユニット７を介して電子カメラを構成するカメラヘッド８０が配置される。このカメラヘッド８０には、接続ケーブル８２を介して制御部８１が接続される。
【００２３】
上記構成により、観察者が、顕微鏡本体１を操作し、標本３を観察すると、その観察画像が対物レンズ４、三眼鏡筒ユニット５を介して接眼レンズユニット６に導かれて該接眼レンズユニット６を介して直接的に観察される。同時に、対物レンズ４で取り込んだ観察画像は、結像レンズユニット７を介して顕微鏡撮像装置を構成するカメラヘッド８０に導かれて、後述するように制御部８１を介してリアルタイムのライブ画像として取得され、このライブ画像に基づく観察が可能となる。
【００２４】
ここで、この発明の特徴とする顕微鏡撮像装置の実施の形態について、説明する。
【００２５】
（第１の実施の形態）
図２は、この発明の第１の実施の形態に係る顕微鏡撮像装置を示すので、上記カメラヘッド８０及び制御部８１で構成される。即ち、カメラヘッド８０は、顕微鏡本体１の対物レンズ４からの入射光を電気信号に変換する撮像素子８０１、この撮像素子８０１から出力されたアナログ信号をデジタル信号に変換するＡ／Ｄ（アナログ／デジタル）変換器８０２、撮像素子８０１の駆動タイミングを発生するタイミングジエネレータ８０３で構成され、上記接続ケーブル８２を介して上記制御部８１に接続される。
【００２６】
制御部８１は、Ａ／Ｄ変換された観察画像である撮影画像データを記憶するフレームメモリ８１１、該フレームメモリ８１１の書きこみ／読み出しアドレスを制御するメモリコントローラ８１２，このメモリコントローラ８１２により読み出しアドレスを指定し、撮影画像データを読み出してフォーカス演算を行うフォーカス演算部８１３、測光演算を行うＡＥ演算部８１４、ホワイトバランス（以下ＷＢとする）及びブラックバランス（以下ＢＢとする）演算を行うＷＢ・ＢＢ演算部８１５、γ補正演算部８１６が設けられる。さらに、制御部８１には、画像を表示するために画像データを蓄える表示用メモリ８１７と、上記フォーカス演算部８１３、ＡＥ演算部８１４、ＷＢ・ＢＢ演算部８１５、γ補正演算部８１６で算出した各撮影情報を画像データに上書きして表示するためのＯＳＤ（ＯｎＳｃｒｅｅｎ　Ｄｉｓｐｌａｙ）メモリ８１８、表示用メモリ８１７、上記ＯＳＤメモリ８１８の画像データを混合して表示する表示部８１９、撮像した撮影画像（観察画像）を記録するデータ記憶部８２０が設けられる。
【００２７】
また、制御部８１には、電子カメラ全体を制御するＣＰＵ８２１、観察者が、撮影やカメラの諸設定を行う操作部８２２が設けられる。
【００２８】
上記制御部８１は、例えばパーソナルコンピュータ（ＰＣ）などが代表として挙げられ、上記表示部８１９がモニタ、上記操作部８２２がマウスおよびキーボード、上記データ記憶部８２０がハードディスクなどのストレージデバイス、上記ＣＰＵ８２１、演算部８１３、８１４、８１５、９１６がＣＰＵ（中央演算処理装置）、上記表示用メモリ８１７，ＯＳＤメモリ８１８が内臓メモリや仮想メモリにより構成される。
【００２９】
上記構成において、標本３の観察及び撮影を行う場合には、先ず、観察者が、顕微鏡本体１を操作し、標本３を観察すると、その観察画像が結像レンズユニット７を介してカメラヘッド８０に取り込まれて後述するように表示部８１９に表示され、リアルタイムのライブ画像の観察が可能となる。この際、観察者は、操作部８２２の操作により撮影条件を設定すると共に、必要に応じて観察画像をデータ記憶部８２０に記録する。
【００３０】
即ち、制御部８１の操作部８２２が操作されると、カメラヘッド８０は、そのタイミングジェネレータ８０３が駆動されて撮影タイミングを制御されて対物レンズ４で結像した標本３の観察画像が撮像素子８０１に取り込まれて電気信号に変換される。この電気信号は、Ａ／Ｄ変換器８０２によりアナログ／デジタル変換され、そのデジタル画像データとして接続ケーブル８２を介して制御部８１に入力される。
【００３１】
制御部８１に送られた画像データは、フレームメモリ８１１に格納される。フレームメモリ８１１は、メモリコントローラ８１２により書きこみ／読み出しアドレスが制御され、カメラヘッド８０からの画像データが記憶される。同時に、画像データは、ＷＢ・ＢＢ演算部８１５、０γ補正演算部８１６を介して表示用メモリ８１７に転送され、表示部８１９にリアルタイムのライブ画像が表示される。この際、フレームメモリ８１１から表示用メモリ８１７へのリアルタイム画像転送の合間を用いて、画像データから撮影に関する諸情報が演算されて取得される。
【００３２】
また、メモリコントローラ８１２は、フレームメモリ８１１から表示用メモリ８１２への画像転送の合間、例えば垂直同期信号のブランキング期間などの間にフォーカス演算部８１３、ＡＥ（Ａｕｔｏｍａｔｉｃ　Ｅｘｐｏｓｕｒｅ）演算部８１４、ＷＢ・ＢＢ演算部８１５に画像データを送る。フォーカス演算部８１３では、予め設定されたフォーカス演算領域の画像データを用いて、例えば隣り合う画素の輝度データの差分の２乗和などで求められるコントラスト値を算出する。
【００３３】
上記ＡＥ演算部８１４は、同様に予め設定されたＡＥ演算領域の画像データを用いて、領域内の輝度データの総和等により、現在の露出時間の良否を判定する。各判定結果は、ＣＰＵ８２１に送られ、露出時間が最適となるよう、カメラヘッド８０のタイミングジェネレータ８０３の撮像素子８０１の駆動タイミングを制御する。また、上記ＷＢ・ＢＢ演算部８１５は、同様に予め設定されたＷＢ・ＢＢ演算領域の画像データを用いて、その領域のＲＧＢのデータが等しくなるようにフレームメモリ８１１から読み出された画像データのＲ、Ｂのデータに対してゲイン処理され、γ補正演算部８１６でγ補正された後、表示用メモリ８１７に格納される。
【００３４】
一方、上記フォーカス演算部８１３、ＡＥ演算部８１４、ＷＢ・ＢＢ演算部８１５より得られた撮影情報は、ＣＰＵ８２１に読み出され観察者に確認させるためＯＳＤメモリに書き込まれる。表示用メモリ８１７、ＯＳＤメモリ８１８に書き込まれたデータは、表示部８１９にて混合されて表示され、観察者がこれを確認する。
【００３５】
ここで、観察者は、表示部８１９に映し出される画像データ及び撮影情報から撮影に最適な条件になるように操作部８２２を操作して観察、撮影を行い、選択的にデータ記憶部８２０に画像データが記録される。ＯＳＤメモリ８１８に書き込まれる撮影情報は、具体的には、例えば図３に示すようなものがある。
【００３６】
この図３に示す撮影情報は、表示部８１９に表示された観察画像である画像データ及び画像情報を示したもので、表示用メモリ８１７及びＯＳＤメモリ８１８のデータを混合表示したものの一例を示す。１０００は、ＡＥ演算領域であり、この領域内の輝度データを用いて最適な露出時間の演算が行われる。１００１は、フォーカス演算領域であり、この領域内のデータを用いて現在のコントラスト値を算出する。この算出されたコントラスト値は、視覚的に分かりやすくなるよう、図中１００２で示すようにインジケータ表示される。このインジケータ表示１００２は、コントラスト値が大きいほど幅が大きく振れる棒クラフとして表示され、現在のコントラスト値及び過去の最大値が示される。
【００３７】
そこで、観察者は、このインジケータ表示１００２を見ながら顕微鏡本体１のステージ２を駆動し，最も大きく振れた所がピント位置となる。１００３はＷＢ・ＢＢ演算領域を示す領域であり、この領域のＲ、Ｇ、Ｂのデータにより、Ｒ及びＢのゲインが決定される。
【００３８】
なお、図３中において、１００４は、操作部８２２を操作することでＯＮ／ＯＦＦ可能なスケール表示であり、ライブ画像及び撮影画像又はそのいずれかに写しこまれる。そして、スケール表示１００４は、例えば顕微鏡の総合倍率を入力することで正しい長さを表示する。これらの撮影情報は、図のように観察画像上に重ねて表示されるため、例えば蛍光観察時に黒の枠の場合など、背景の画像によっては同色となり、視認性が悪くなってことがある。この場合には、観察者が、操作部８２２を操作して、これらの撮影情報表示の線色、線幅、線種を任意に変更して可変設定することにより、所望の視認性を保つように設定の調整操作される。
【００３９】
図４は、撮影情報表示の変更を行う方法の一例で、表示部８１９の表示画面を表している。観察者は、操作部８２２を操作し、撮影情報の表示方法を変更したい項目にカーソル１００５を合わせ、操作部８２２を操作して設定メニュー１００６を表示させる。また、このカーソル１００５は、設定メニューｌ００６上の項目１００７の中から所望の項目について選択することで、その色、線種、線幅を変更する。これにより、所望の撮影情報は、色または線種、線幅の変更が反映される。
【００４０】
また、上記撮影画像の撮影情報は、その色について、単一色である必要はなく、例えば図５に示すように複数の色を線分の長手方向に使用することで縁取り１００１を設けたり、長手方向の垂直方向に使用して縞模様１０００を設けたりすることも可能であるし、色を時間の経過と共に変化させることで、より視認性を高めることも可能となる。
【００４１】
このように、上記顕微鏡撮像装置は、顕微鏡本体１で取り込んだ観察像をカメラヘッド８０で撮像した観察画像と共に、その撮影情報を制御部８１の表示部８１９に表示して、その観察画像の撮像情報の表示状態を選択的に可変設定可能に構成した。
【００４２】
これによれば、表示部８１９に表示される撮影情報を、例えば標本の種類や観察方法に応じて、その表示状態を可変設定することにより、観察画像の背景画像に埋もれたりすることなく、視認性よく表示することができる。この結果、観察画像の高精度な観察を、容易に実現することができる。
【００４３】
また、これによれば、標本３が移動したり観察方法が変更されてもリアルタイムに表示が自動的に変更されて、観察者の手を煩わすことがないため、使い勝手が向上されて簡便にして容易な操作が可能となる。そして、１つの撮影情報表示に複数の撮影情報を持たせることが可能であるため，その視認性の向上を図ることが可能となる。
【００４４】
また、この発明は、上記第１の実施の形態に限ることなく、その他、第２乃至第４の実施の形態の形態で構成することも可能で、何れの形態のおいても同様の効果が期待される。
【００４５】
（第２の実施の形態）
図６は、この発明の第２の実施の形態に係る顕微鏡撮像装置を示すものである。但し、図６においては、説明の便宜上、上記図２に示す第１の実施の形態と同一部分について、同一符号を付してその詳細な説明を省略する。
【００４６】
即ち、第２の実施の形態においては、上記フレームメモリ８１１の出力端に補色画像生成部８２３を付加して配し、この補色画像生成部８２３を上記操作部８２２の操作に連動して上記ＣＰＵ８２１を介して選択的に駆動制御するように構成したものである。
【００４７】
上記構成により、補色画像生成部８２３は、画面中でフォーカス演算部８１３，ＡＥ演算部８１４、ＷＢ・ＢＢ演算部８１５の撮影情報を表示する位置に相当する背景画像をフレームメモリ８１１から読み出し、撮影情報データを
（Ｒ′ｘｙ，Ｇ′ｘｙ，Ｂ′ｘｙ）
＝（２５５，２５５，２５５）−（Ｒｘｙ，Ｇｘｙ，Ｂｘｙ）…（１）
の式（１）に基づいて算出する。但し、（Ｒｘｙ，Ｇｘｙ，Ｂｘｙ）：画面（ｘ、ｙ）における背景画像データ（Ｒ、Ｇ、Ｂ各８ビット）、（Ｒ′ｘｙ，Ｇ′ｘｙ，Ｂ′ｘｙ）：画面（ｘ、ｙ）における撮影情報表示用データ（Ｒ、Ｇ、Ｂ各８ビット）である。
【００４８】
ここで、計算された撮影情報データは、ＣＰＵ８２１によりＯＳＤメモリ８１８に書き込まれ、表示用メモリ８１７の画像データと共に、表示部８１９で混合され、例えば図７に示すように表示される。
【００４９】
このように、撮影情報データを、背景画像データの補色とすることで、背景画像がどのような場合でも、背景に埋もれることがなくなり、さらに、視認性を向上させることが可能となる。
【００５０】
この第２の実施の形態においては、図８に示すように上記図６に示す補色画像生成部８２３に代えて背景データの１画素毎の色を判定する色判定部８２４及び該色判定部８２４で判定した色のヒストグラムを算出するヒストグラム算出部８２５を上記フレームメモリ８１１の出力端に配するように構成しても、略同様の効果が期待される。但し、この図８においては、説明の便宜上、上記図６と同一部分について、同一符号を付してその詳細な説明を省略する。
【００５１】
上記構成により、色判定部８２４は、画面中でフォーカス演算部８１３、ＡＥ演算部８１４，ＷＢ・ＢＢ演算部８１５の撮影情報を表示する位置に相当する背景画像をフレームメモリ８１１から読み出し、１画素毎の色を判定する。判定に用いる色は、計算を簡単にするため、例えば赤、マゼンタ、シアン、青、緑、黄、橙の７色に、白（例えば輝度値２３０以上）、黒（例えば輝度値３０以下）を加えた９種類とする。色判定部８２４で判定された色情報データは、ヒストグラム算出部８２５に送られ、それぞれの撮影情報毎に図９に示すようにヒストグラムが算出される。
【００５２】
ここで、ＣＰＵ８２１は、ヒストグラムに基づいてそれぞれの撮影情報毎に最も頻度の多かった色の補色を用いて撮影情報を表示するようＯＳＤメモリ８１８にデータを書き込む。このＯＳＤメモリ８１８に書き込まれた撮影情報データは、表示用メモリ８１７の背景データと共に表示部８１９にて合成されて例えば図１０に示すように表示される。
【００５３】
なお、上記色判定部８２４で判定に用いる色数は、今回の９種類に限らず、任意に設定可能である。また、上記白、黒については、輝度値を元に判定しているものであるが、そのしきい値（白：２３０以上、黒：３０以下）も任意に設定することが可能である。
【００５４】
（第３の実施の形態・実施例）
図１１は、この発明の第３の実施の形態に係る顕微鏡撮像装置を示すものである。但し、図１１においては、説明の便宜上、上記図２に示す第１の実施の形態と同一部分について、同一符号を付してその詳細な説明を省略する。
【００５５】
即ち、第３の実施の形態においては、上記フレームメモリ８１１の出力端に撮影情報を表示するパターンを生成するための表示パターン生成部８２６を付加して配し、この表示パターン生成部８２６を上記操作部８２２の操作に連動して上記ＣＰＵ８２１を介して選択的に駆動制御して表示パターンを可変設定するように構成したものである。
【００５６】
上記構成により、表示パターン生成部８２６は、画面中でフォーカス演算部８１３、ＡＥ演算部８１４、ＷＢ・ＢＢ演算部８１５の撮影情報を表示する位置に相当する背景画像をフレームメモリ８１１から読み出し、
（Ｒ′ｘｙ，Ｇ′ｘｙ，Ｂ′ｘｙ）＝（Ｒｘｙ，Ｇｘｙ，Ｂｘｙ）×ｋ　…（２）
の式（２）に従って表示パターンを生成する。
【００５７】
但し、（Ｒｘｙ，Ｇｘｙ，Ｂｘｙ）：画面（ｘ、ｙ）における背景画像データ（Ｒ、Ｇ、Ｂ各８ビット）、（Ｒ′ｘｙ，Ｇ′ｘｙ，Ｂ′ｘｙ）：画面（ｘ、ｙ）における撮影情報表示用データ（Ｒ、Ｇ、Ｂ各８ビット）、撮影情報領域内：０、撮影情報領域外：１／２、ｋ：パターン表示係数である。
【００５８】
この撮影情報表示用データは、ＣＰＵ８２１によりＯＳＤメモリ８１８に上記撮影情報と共に書き込まれる。ＯＳＤメモリ８１８に書き込まれた撮影情報データは、表示用メモリ８１７の背景データと共に表示部８１９にて図１２に示すように合成されて表示される。
【００５９】
この図１２は、ＡＥ演算領域を表示した場合の一例であるが、その他、フォーカス演算領域を表示したい場合には、操作部８２２を操作し、図示しないカーソルを用いてフォーカス演算領域を有効にすることで、フォーカス演算領域内が通常画像で、領域外がＲ、Ｇ、Ｂのレベルが１／２となるような表示に変更される。
【００６０】
なお、上記撮影情報領域内外で画像データに乗じるパターン表示係数ｋは、例えば任意に設定される。
【００６１】
また、上記表示パターンは、網掛け等を施すことでより視認性を高めることも可能である。そして、また、表示する項目は本実施例のような１種類を選択的に表示するのでなく、異なったパターンを各撮影情報領域に割り当てておき、同時に表示しても各領域内外の判定が可能に構成してもよい。
【００６２】
（第４の実施の形態・実施例）
図１３は、第４の実施の形態に係る顕微鏡撮像装置を示すもので示すものである。但し、図１３においては、説明の便宜上、上記図２及び図１１に示す第１及び第３の実施の形態と同一部分について、同一符号を付してその詳細な説明を省略する。
【００６３】
即ち、第３の実施の形態においては、上記フレームメモリ８１１の出力端に撮影情報を表示するパターンを生成するための表示パターン生成部８２６及び所望の表示パターンをテーブルとして記憶している表示パターン記憶部８２７を付加して配し、この表示パターン生成部８２６を上記操作部８２２の操作に連動して上記ＣＰＵ８２１を介して上記表示パターン記憶部８２７の記憶表示パターンに基づいて選択的に駆動制御するように構成したものである。
【００６４】
上記構成により、表示パターン生成部８２６は、フォーカス演算部８１３、ＡＥ演算部８１４、ＷＢ・ＢＢ演算部８１５から得られた演算領域を表示するほか、例えばフォーカス領域であれば、フォーカス／デフォーカスといった情報を同時に表示するためのもので、例えば図１４に示すように予め色、線種、線幅に対して関連付けられた表示パターン情報を記憶した表示パターンテーブル記憶部８２７より読み出し、対応する情報の表示が行われる。
【００６５】
即ち、フォーカスについては、フォーカス位置、デフォーカス位置を判定し、例えば出フォーカス位置ではフォーカス演算領域をグレーの破線（細線）で示し、フォーカス位置では緑色の実線で示す。これにより、色及び線種、線幅によってフォーカス領域以外にフォーカスの状態も確認が可能となる。
【００６６】
また、ＡＥ（１）の項目では，露出の状態を表示し、例えば露出不足の場合はグレーの点滅で示し、緑色の場合は適正露出，白の点滅時では露出過多を示す。観察者はこれによりシャッタスピードを適正な値にすることで、正しい明るさの写真を撮影することができる。
【００６７】
ＡＥ（２）の項目は、露出補正の有無を表示し、例えば露出補正ありの場合は測光領域の線を破線で示し、露出補正が無い場合は実線で示す。
【００６８】
上記ＡＥ（１）の項目とＡＥ（２）の項目は、同時に用いた場合、例えば露出補正ありを示し、露出不足の場合の表示は、露出領域場グレーの破線で点滅させて示す。
【００６９】
ＷＢ・ＢＢの項目については、算出されたＲ及びＢのゲインから、最も近いと思われる光源色温度を色温度３０００Ｋ〜６５００Ｋまで、色付けすることで温度を表示する。この際、スケールは、ライブ像への表示のみと、ライブ像への表示＋撮影画像（観察画像）への写し込みの状態があるため、例えばライブ像のみの場合には白で示し、撮影画像（観察画像）にも写しこむ場合には黄色で表示する。
【００７０】
また、操作部８２２の入力受付が禁止される撮影処理中の表示は、全情報表示領域について、グレー表示とし、どの項目も設定、変更不可能であることを表示する。そして、撮影処理が終了すると、撮影処理前の状態、例えば撮影前のＡＥ状態が露出補正なし，露出過多であれば実線の白枠が点滅している状態に復帰する。
【００７１】
上記表示パターン情報としては、上記図１４に示したものは、一例であり、それぞれの領域の色，線種，線幅を任意に設定することが可能である。そして、撮影情報の項目、数についても、同様に図１４に示した情報のみに限定するものではないことは勿論である。
【００７２】
なお、上記第１乃至第４の実施の形態においては、カメラヘッド８０と制御部８１とを別体としたが、一体型のカメラ構造に構成することも可能である。
【００７３】
また、上記制御部８１は、上述した説明では、ＰＣを用いて構成した場合で説明したが、これに限ることなく、専用のコントローラを使用することで、スタンドアロンで使うことが可能となり、さらには小型化を図ることが可能となるため、その使い勝手の向上を図ることが可能となる。
【００７４】
よって、この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【００７５】
例えば各実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【００７６】
【発明の効果】
以上詳述したように、この発明によれば、簡易な構成で、且つ、標本の多様化と共に、観察方法の多様化を確保したうえで、観察画像の撮影情報の確実な視認を実現し得るようにした顕微鏡撮像装置を提供することができる。
【図面の簡単な説明】
【図１】この発明の適用される顕微鏡システムの構成を説明するために示した構成図である。
【図２】この発明の第１の実施の形態に係る顕微鏡撮像装置の構成を示したブロック図である。
【図３】図２の表示部に表示された撮像情報の表示例を示した顕微鏡写真である。
【図４】図２の表示部に表示された撮像情報の他の表示例を示した顕微鏡写真である。
【図５】図２の表示部に表示された撮像情報の他の表示例を示した顕微鏡写真である。
【図６】この発明の第２の実施の形態に係る顕微鏡撮像装置の構成を示したブロック図である。
【図７】図６の表示部に表示された撮像情報の表示例を示した顕微鏡写真である。
【図８】図６に示した第２の実施の形態に係る顕微鏡撮像装置の変形例を示したブロック図である。
【図９】図８のヒストグラム算出部で算出されるヒストグラムの一例を示したヒストグラム図である。
【図１０】図８の表示部に表示された撮像情報の表示例を示した顕微鏡写真である。
【図１１】この発明の第３の実施の形態に係る顕微鏡撮像装置の構成を示したブロック図である。
【図１２】図１１の表示部に表示された撮像情報の表示例を示した顕微鏡写真である。
【図１３】この発明の第４の実施の形態に係る顕微鏡撮像装置の構成を示したブロック図である。
【図１４】色、線種、線幅に対して関連付けられた表示パターン情報の一例を示した図である。
【符号の説明】
１　…　顕微鏡本体
２　…　ステージ
３　…　標本
４　…　対物レンズ
５　…　三眼鏡筒ユニット
６　…　接眼レンズユニット
７　…　結像レンズユニット
８０　…　カメラヘッド
８０１　…　撮像素子
８０２　…　Ａ／Ｄ変換器
８０３　…　タイミングジェネレータ
８１　…制御部
８１１　…　フレームメモリ
８１２　…　メモリコントローラ
８１３　…　フォーカス演算部
８１４　…　ＡＥ演算部
８１５　…　ＷＢ・ＢＢ演算部
８１６　…　γ補正演算部
８１７　…　表示用メモリ
８１８　…　ＯＳＤメモリ
８１９　…　表示部
８２０　…　データ記憶部
８２１　…　ＣＰＵ
８２２　…　操作部
８２３　…　補色画像生成部
８２４　…　色判定部
８２５　…　ヒストグラム算出部
８２６　…　表示パターン生成部
８２７　…　表示パターンテーブル記憶部
８２　…　接続ケーブル
【図１】
2004054045.tif 000003
【図２】
2004054045.tif 000004
【図３】
2004054045.tif 000005
【図４】
2004054045.tif 000006
【図５】
2004054045.tif 000007
【図６】
2004054045.tif 000008
【図７】
2004054045.tif 000009
【図８】
2004054045.tif 000010
【図９】
2004054045.tif 000011
【図１０】
2004054045.tif 000012
【図１１】
2004054045.tif 000013
【図１２】
2004054045.tif 000014
【図１３】
2004054045.tif 000015
【図１４】
2004054045.tif 000016
【手続補正書】
【提出日】平成14年7月31日(2002.7.31)
【手続補正１】
【補正対象書類名】明細書
【補正対象項目名】００１９
【補正方法】変更
【補正の内容】
【００１９】
また、この発明は、前記観察画像の複数の撮影情報を持つ情報を、測光、フォーカス、色バランス、スケールの少なくとも１つで構成した。これによれば、撮影情報に基づいて観察画像の複数の観察が可能である。